(57)【要約】【課題】印刷を事前に実行しても、他人による印刷物の持ち去りを確実に防止することができる画像形成システムを提供する。【解決手段】画像形成装置１０は、機密表記を印刷物に付加し、後処理装置３０は、機密表記を読み取る機密表記読取部３１と、開放トレイ３２と、開閉ドア３８を開かないと出力された印刷物を取り出せない構造のユーザー用格納トレイ３３と、開閉ドア３８を施錠する施錠機構３９と、画像形成装置１０から出力された印刷物を仕分けして開放トレイ３２及びユーザー用格納トレイ３３の中のいずれかに出力する仕分機構（トレイ昇降機構３５、搬送ローラー３６）とを備え、機密表記が付加されていない印刷物は開放トレイ３２に、機密表記が付加された印刷物はユーザー用格納トレイ３３にそれぞれ出力させる。【選択図】図１
2020069649.tif 000002
【特許請求の範囲】
【請求項１】
画像を形成した記録媒体を出力する画像形成装置と、前記画像形成装置から出力された前記記録媒体を仕分けする後処理装置とからなる画像形成システムであって、
前記画像形成装置は、
ユーザーを特定するユーザー情報が含まれた機密表記を生成する機密表記生成部と、
前記機密表記を前記記録媒体に付加する機密表記付加制御部と、を具備し、
後処理装置は、
前記記録媒体に付加された前記機密表記を読み取る機密表記読取部と、
出力された前記記録媒体を誰でも取り出すことができる開放トレイと、
開閉ドアを開かないと出力された前記記録媒体を取り出せない構造のユーザー用格納トレイと、
前記開閉ドアを施錠する施錠機構と、
前記画像形成装置から出力された前記記録媒体を仕分けして前記開放トレイ及び前記ユーザー用格納トレイの中のいずれかに出力する仕分機構と、
前記仕分機構を制御して、前記機密表記が付加されていない前記記録媒体は前記開放トレイに、前記機密表記が付加された前記記録媒体は前記ユーザー用格納トレイにそれぞれ出力させる仕分制御部と、を具備することを特徴とする画像形成システム。
【請求項２】
後処理装置は、
認証情報の入力を受け付ける入力部と、
前記入力部から入力された前記認証情報によってユーザー認証を実行するユーザー認証部と、
前記ユーザー認証部によって前記ユーザー情報で特定されるユーザーの認証に成功した場合、前記施錠機構を制御して、前記ユーザー用格納トレイの前記開閉ドアを開錠させる開錠制御部と、を具備することを特徴とする請求項１記載の画像形成システム。
【請求項３】
前記開閉ドアを開かないと出力された前記記録媒体を取り出せない構造の管理者用格納トレイを具備し、
前記仕分機構は、前記画像形成装置から出力された前記記録媒体を仕分けして前記開放トレイ、前記ユーザー用格納トレイ及び前記管理者用格納トレイの中のいずれかに出力し、
仕分制御部は、前記記録媒体に前記機密表記が付加され、前記ユーザー用格納トレイに空きがない場合、前記仕分機構を制御して前記管理者用格納トレイに出力させ、
前記開錠制御部は、前記ユーザー認証部によって管理者の認証に成功した場合、前記施錠機構を制御して、前記管理者用格納トレイの前記開閉ドアを開錠させることを特徴とする請求項２記載の画像形成システム。
【請求項４】
画像形成装置から出力された記録媒体を仕分けする後処理装置であって、
前記記録媒体に付加された機密表記を読み取る機密表記読取部と、
出力された前記記録媒体を誰でも取り出すことができる開放トレイと、
開閉ドアを開かないと出力された前記記録媒体を取り出せない構造のユーザー用格納トレイと、
前記開閉ドアを施錠する施錠機構と、
前記画像形成装置から出力された前記記録媒体を仕分けして前記開放トレイ及び前記ユーザー用格納トレイの中のいずれかに出力する仕分機構と、
前記仕分機構を制御して、前記機密表記が付加されていない前記記録媒体は前記開放トレイに、前記機密表記が付加された前記記録媒体は前記ユーザー用格納トレイにそれぞれ出力させる仕分制御部と、を具備することを特徴とする後処理装置。
【発明の詳細な説明】
【技術分野】
【０００１】
本発明は、画像を形成した記録媒体を出力する画像形成装置と、画像形成装置から出力された記録媒体を仕分けする後処理装置とからなる画像形成システムに関する。
【背景技術】
【０００２】
画像形成装置には、画像を形成した記録媒体を印刷物として出力する際に、印刷物を受け取るユーザーを指定して印刷する親展印刷機能を備えたものがある（例えば、特許文献１参照）。親展印刷機能は、ユーザー宛ての印刷データを記憶しておき、操作部からユーザーＩＤやパスワードを入力して認証された場合に、印刷データを印刷物として出力する機能である。
【先行技術文献】
【特許文献】
【０００３】
【特許文献１】特開２００８−１２７７３号公報
【発明の概要】
【発明が解決しようとする課題】
【０００４】
しかしながら、従来技術では、他人による印刷物の持ち去りを防止するために、ユーザーは、印刷の開始から終了まで装置の前で待機しなければならず、作業効率が悪いという問題点があった。
【０００５】
本発明は、上記問題点を鑑みてなされたものであり、その目的とするところは、画像を形成した記録媒体の出力を事前に実行しても、出力した記録媒体の他人による持ち去りを確実に防止することができる画像形成システムを提供することを目的とする。
【課題を解決するための手段】
【０００６】
本発明の画像形成システムは、画像を形成した記録媒体を出力する画像形成装置と、前記画像形成装置から出力された前記記録媒体を仕分けする後処理装置とからなる画像形成システムであって、前記画像形成装置は、ユーザーを特定するユーザー情報が含まれた機密表記を生成する機密表記生成部と、前記機密表記を前記記録媒体に付加する機密表記付加制御部と、を具備し、後処理装置は、前記記録媒体に付加された前記機密表記を読み取る機密表記読取部と、出力された前記記録媒体を誰でも取り出すことができる開放トレイと、開閉ドアを開かないと出力された前記記録媒体を取り出せない構造のユーザー用格納トレイと、前記開閉ドアを施錠する施錠機構と、前記画像形成装置から出力された前記記録媒体を仕分けして前記開放トレイ及び前記ユーザー用格納トレイの中のいずれかに出力する仕分機構と、前記仕分機構を制御して、前記機密表記が付加されていない前記記録媒体は前記開放トレイに、前記機密表記が付加された前記記録媒体は前記ユーザー用格納トレイにそれぞれ出力させる仕分制御部と、を具備することを特徴とする。
本発明の後処理装置は、画像形成装置から出力された記録媒体を仕分けする後処理装置であって、前記記録媒体に付加された機密表記を読み取る機密表記読取部と、出力された前記記録媒体を誰でも取り出すことができる開放トレイと、開閉ドアを開かないと出力された前記記録媒体を取り出せない構造のユーザー用格納トレイと、前記開閉ドアを施錠する施錠機構と、前記画像形成装置から出力された前記記録媒体を仕分けして前記開放トレイ及び前記ユーザー用格納トレイの中のいずれかに出力する仕分機構と、前記仕分機構を制御して、前記機密表記が付加されていない前記記録媒体は前記開放トレイに、前記機密表記が付加された前記記録媒体は前記ユーザー用格納トレイにそれぞれ出力させる仕分制御部と、を具備することを特徴とする。
【発明の効果】
【０００７】
本発明によれば、特定のユーザー宛てに出力した記録媒体は、施錠可能なユーザー用格納トレイに出力されるため、画像を形成した記録媒体の出力を事前に実行しても、出力した記録媒体の他人による持ち去りを確実に防止することができるという効果を奏する。
【図面の簡単な説明】
【０００８】
【図１】本発明に係る画像形成システムの実施の形態の概略構成を示す模式図である。
【図２】図１に示す画像形成装置の概略構成を示すブロック図である。
【図３】図１に示す後処理装置によって印刷物に付加された機密表記例を示す図である。よにらり
【図４】図１に示す後処理装置の概略構成を示すブロック図である。
【図５】図４に示す格納情報例を示す図である。
【図６】図４に示す後処理装置による印刷物の仕分動作を説明するフローチャートである。
【図７】図４に示す後処理装置における印刷物の取り出し制御動作を説明するフローチャートである。
【発明を実施するための形態】
【０００９】
以下、図を参照して本発明の実施の形態を詳細に説明する。なお、以下の実施形態において、同様の機能を示す構成には、同一の符号を付してある。
【００１０】
本実施の形態の画像形成システムは、図１を参照すると、ＭＦＰ（Multifunction Peripheral / Printer / Product）等の画像を形成した記録媒体を印刷物として出力画像形成装置１０と、画像形成装置１０から出力された印刷物を仕分けする後処理装置３０とを備えている。
【００１１】
画像形成装置１０は、図１を参照すると、操作部１１と、原稿読取部１２と、原稿給送部１３と、画像形成部１４と、給紙部１５とを備えている。
【００１２】
操作部１１は、タッチパネル、操作ボタン、液晶ディスプレイ等で構成され、各種情報の入力を受け付ける入力部としての機能と、各種情報を表示する表示部として機能を備えている。
【００１３】
原稿読取部１２は、露光ランプ及びＣＣＤ(Charge Coupled Device)センサー等から構成されたスキャナーと、プラテンガラスと、スリットガラスとを備えている。原稿読取部１２は、プラテンガラスに載置された原稿を読み取って画像データを取得すると共に、原稿給送部１３によってスリットガラスに給送されてくる原稿を読み取って画像データを取得する。
【００１４】
原稿給送部１３は、原稿載置部と、原稿出力部と、原稿搬送機構とを備えている。原稿載置部に載置された原稿は、原稿搬送機構によって、１枚ずつ順に繰り出されて原稿読取部１２のプラテンガラスに対向する位置へ搬送され、その後、原稿出力部に出力される。なお、原稿給送部１３は、可倒式に構成され、原稿給送部１３を上方に持ち上げることで、原稿読取部１２のプラテンガラスの上面を開放させることができる。
【００１５】
画像形成部１４は、例えば、感光体ドラムと、帯電部、露光部と、現像部と、転写部と、クリーニング部と、定着部とを備え、形成した画像を記録紙に印刷する。
【００１６】
給紙部１５は、それぞれ記録紙を収納する複数の給紙カセットと、給紙カセットから記録紙を１枚ずつ画像形成部１４への用紙搬送路に繰り出す給紙ローラーとを備えている。
【００１７】
給紙部１５から繰り出された記録紙は、画像形成部１４に搬送される。そして、画像形成部１４によって印刷が施された記録紙は、印刷物として後処理装置３０に向けて出力される。
【００１８】
図２には、画像形成装置１０の概略構成を示すブロック図が示されている。上述の操作部１１、原稿読取部１２、原稿給送部１３、画像形成部１４及び給紙部１５は、制御部２０に接続され、制御部２０によって動作制御される。また、制御部２０には、記憶部１６と、画像処理部１７と、通信部１８とが接続されている。
【００１９】
記憶部１６は、半導体メモリやＨＤＤ（Hard Disk Drive）等の記憶手段であり、原稿読取部１２によって原稿を読み取ることで取得された画像データ等の各種画像データが記憶される。
【００２０】
画像処理部１７は、ＣＰＵ（Central Processing Unit）、ＲＯＭ（Read Only Memory）、ＲＡＭ（Random Access Memory）等を備えたマイクロコンピュータ等の演算処理回路であり、例えば、拡大縮小処理、濃度調整処理、階調調整処理等の画像処理に係る各種ジョブを実行する。
【００２１】
通信部１８は、ＬＡＮ等のネットワーク６０を介して、パーソナルコンピュータ等の周辺機器７０との間で各種データを送受信するデータ通信機能を有する。
【００２２】
制御部２０は、ＣＰＵ（Central Processing Unit）、ＲＯＭ（Read Only Memory）、ＲＡＭ（Random Access Memory）等を備えたマイクロコンピュータ等の演算処理回路である。ＲＯＭには画像形成装置１０の動作制御を行うための制御プログラムが記憶されている。制御部２０は、ＲＯＭに記憶されている制御プログラムを読み出し、制御プログラムをＲＡＭに展開させることで、操作部１１から入力された各種指示情報に応じて装置全体の制御を行う。また、制御部２０は、機密表記生成部２１、機密表記付加制御部２２として機能する。
【００２３】
機密表記生成部２１は、周辺機器７０から受信した印刷ジョブが機密指定されたものか否かを判断し、機密指定されたものである場合、画像形成装置１０から出力された印刷物を取り出すユーザーを特定するユーザー情報（本実施の形態では、ユーザーＩＤ）を含む機密表記Ｘを生成する。なお、本実施の形態において、機密表記Ｘに含めるユーザー情報は、印刷ジョブを作成したユーザーに限定されることなく、印刷ジョブによって他のユーザーを指定可能にすると良い。
【００２４】
そして、機密表記付加制御部２２は、図３に示すように、機密表記Ｘを印刷データに付加して印刷する。図３（ａ）に示す機密表記Ｘは、ユーザー情報をコード化した２次元バーコードである。なお、機密表記Ｘは、通常のバーコードや、後処理装置３０との間で設定された独自のコードであっても良い。また、図３（ｂ）に示す機密表記Ｘは、機密文書であることを示すマークである。このように、印刷データに付加するマークにユーザー情報を含ませても良い。また、図３（ｃ）に示す機密表記Ｘは、印刷データの文字列である。このように、印刷データにユーザー情報を含ませても良い。
【００２５】
なお、印刷ジョブが複数ページである場合、全ページに機密表記Ｘを印刷しても良く、先頭ページのみにページ数を含んだ機密表記Ｘを印刷しても良い。
【００２６】
また、機密表記Ｘを印刷する機密表記用の画像形成部を別途設けるようにしても良い。また、機密表記用の画像形成部や、両面印字機構を備えている場合、機密表記Ｘは、背面に印刷するようにしても良い。
【００２７】
後処理装置３０は、図１を参照すると、機密表記読取部３１と、開放トレイ３２と、ユーザー用格納トレイ３３と、管理者用格納トレイ３４と、トレイ昇降機構３５と、搬送ローラー３６と、操作部３７とを備えている。
【００２８】
機密表記読取部３１は、画像形成装置１０から出力された印刷物において、機密表記Ｘが付加されている領域を読み取って画像データを取得する露光ランプ及びＣＣＤ(Charge Coupled Device)センサー等から構成されたスキャナーである。機密表記読取部３１は、印刷物の全面を読み取るようにしても良く、機密表記Ｘが付加された一部の領域のみを読み取るようにしても良い。
【００２９】
開放トレイ３２は、出力された印刷物を誰でも取り出すことができるトレイである。
【００３０】
ユーザー用格納トレイ３３及び管理者用格納トレイ３４は、開閉ドア３８と、開閉ドア３８の施錠機構３９とを備え、開閉ドア３８を開かないと出力された印刷物を取り出せない構造のトレイである。
【００３１】
施錠機構３９は、開閉ドア３８を閉じた状態で施錠する機構であり、閉じると自動で開閉ドア３８を施錠するオートロック機能を備えている。なお、本実施の形態では、４段のユーザー用格納トレイ３３と、１段の管理者用格納トレイ３４とが設けられているが、ユーザー用格納トレイ３３の段数は任意である。
【００３２】
トレイ昇降機構３５は、開放トレイ３２、ユーザー用格納トレイ３３及び管理者用格納トレイ３４を上下に昇降させる機構である。また、搬送ローラー３６は、画像形成装置１０から出力された印刷物を搬送する機構である。トレイ昇降機構３５及び搬送ローラー３６は、画像形成装置１０から出力された印刷物を仕分けして開放トレイ３２、ユーザー用格納トレイ３３及び管理者用格納トレイ３４の中のいずれかに出力する仕分機構として機能する。
【００３３】
操作部３７は、タッチパネル、操作ボタン、液晶ディスプレイ等で構成され、各種情報の入力を受け付ける入力部としての機能と、各種情報を表示する表示部として機能を備えている。
【００３４】
図４には、後処理装置３０の概略構成を示すブロック図が示されている。上述の機密表記読取部３１、トレイ昇降機構３５、搬送ローラー３６及び操作部３７は、仕分制御部４０に接続され、仕分制御部４０によって動作制御される。また、仕分制御部４０には、記憶部５０が接続されている。
【００３５】
記憶部５０は、半導体メモリやＨＤＤ（Hard Disk Drive）等の記憶手段であり、認証情報５１と、格納情報５２とが記憶される。
【００３６】
認証情報５１は、ユーザーＩＤとパスワードとが関連付けて登録されていると共に、管理者ＩＤとパスワードとが関連付けて登録されている。
【００３７】
格納情報５２は、ユーザー用格納トレイ３３及び管理者用格納トレイ３４への印刷物の格納状況を示す情報であり、図５に示すように、格納の有無と、格納が有りの場合、格納されている印刷物のユーザー情報が登録される。
【００３８】
仕分制御部４０は、ＣＰＵ（Central Processing Unit）、ＲＯＭ（Read Only Memory）、ＲＡＭ（Random Access Memory）等を備えたマイクロコンピュータ等の演算処理回路である。ＲＯＭには後処理装置３０の動作制御を行うための制御プログラムが記憶されている。仕分制御部４０は、ＲＯＭに記憶されている制御プログラムを読み出し、制御プログラムをＲＡＭに展開させることで、操作部３７から入力された各種指示情報に応じて装置全体の制御を行う。また、仕分制御部４０は、機密表記解析部４１、トレイ選択部４２、ユーザー認証部４３、開錠制御部４４として機能する。
【００３９】
機密表記解析部４１は、機密表記読取部３１によって読み取った画像データを解析し、機密表記Ｘが印刷されているか否かを判断すると共に、機密表記Ｘが印刷されている場合、機密表記Ｘに含まれているユーザー情報を抽出する。
【００４０】
トレイ選択部４２は、開放トレイ３２、ユーザー用格納トレイ３３及び管理者用格納トレイ３４の中から格納するトレイを選択し、トレイ昇降機構３５及び搬送ローラー３６を制御して選択したトレイに印刷物を出力する。
【００４１】
ユーザー認証部４３は、指定されたユーザーＩＤと、入力を受け付けたパスワードとの組み合わせが、認証情報５１に登録されているか否かで認証の成功もしくは失敗を判断するユーザー認証動作を実行する。なお、認証情報５１に生体情報を登録しておき、生体情報に基づいてユーザー認証を行うようにしても良い。
【００４２】
開錠制御部４４は、ユーザー認証部４３による認証が成功すると、格納情報５２に基づいて認証に成功したユーザーＩＤが登録されたトレイを特定し、特定したトレイの施錠機構３９を制御して開閉ドア３８を開錠する。
【００４３】
次に、後処理装置３０による印刷物の仕分動作について図６を参照して詳細に説明する。
【００４４】
画像形成装置１０から印刷物が出力されると、後処理装置３０の機密表記読取部３１は、画像形成装置１０から出力された印刷物において、機密表記Ｘが付加されている領域を読み取って画像データを取得する（ステップＳ１０１）。
【００４５】
機密表記解析部４１は、機密表記読取部３１によって読み取った画像データを解析し、機密表記Ｘが印刷されているか否かを判断する（ステップＳ１０２）。
【００４６】
ステップＳ１０２で機密表記Ｘが印刷されていない場合、トレイ選択部４２は、開放トレイ３２を選択し、トレイ昇降機構３５及び搬送ローラー３６を制御して開放トレイ３２に印刷物を出力し（ステップＳ１０３）、動作を終了する。
【００４７】
ステップＳ１０２で機密表記Ｘが印刷されている場合、機密表記解析部４１は、機密表記Ｘに含まれているユーザーＩＤを抽出する（ステップＳ１０４）。
【００４８】
次に、トレイ選択部４２は、格納情報５２を参照して、同じユーザーＩＤの印刷物が格納されているユーザー用格納トレイ３３があるか否かを判断する（ステップＳ１０５）。
【００４９】
ステップＳ１０５で同じユーザーＩＤの印刷物が格納されているユーザー用格納トレイ３３がある場合、トレイ選択部４２は、同じユーザーＩＤの印刷物が格納されているユーザー用格納トレイ３３を選択し、トレイ昇降機構３５及び搬送ローラー３６を制御して選択したユーザー用格納トレイ３３に印刷物を出力し（ステップＳ１０６）、動作を終了する。
【００５０】
ステップＳ１０５で同じユーザーＩＤの印刷物が格納されているユーザー用格納トレイ３３がない場合、トレイ選択部４２は、格納情報５２を参照して、ユーザー用格納トレイ３３に印刷物が格納されていない空きトレイがあるか否かを判断する（ステップＳ１０７）。
【００５１】
ステップＳ１０７で空きトレイがある場合、トレイ選択部４２は、空きトレイのいずれか選択し、トレイ昇降機構３５及び搬送ローラー３６を制御して選択した空きトレイ（ユーザー用格納トレイ３３）に印刷物を出力する（ステップＳ１０８）。そして、トレイ選択部４２は、格納情報５２において、選択したユーザー用格納トレイ３３を格納有りに切り換えると共に、ユーザーＩＤを登録し（ステップＳ１０９）、動作を終了する。
【００５２】
ステップＳ１０７で印刷物が格納されていないユーザー用格納トレイ３３がない場合、トレイ選択部４２は、管理者用格納トレイ３４を選択し、トレイ昇降機構３５及び搬送ローラー３６を制御して選択した管理者用格納トレイ３４に印刷物を出力する（ステップＳ１１０）。そして、トレイ選択部４２は、格納情報５２において、管理者用格納トレイ３４にユーザーＩＤを登録し（ステップＳ１１１）、動作を終了する。なお、管理者用格納トレイ３４は、ユーザー用格納トレイ３３に空きがない場合に、印刷物を格納するための回避用のトレイである。従って、管理者用格納トレイ３４には、異なるユーザーの印刷物が格納されることもある。
【００５３】
次に、後処理装置３０におけるユーザー用格納トレイ３３及び管理者用格納トレイ３４に格納された印刷物の取り出し制御動作について図７を参照して詳細に説明する。
【００５４】
ユーザー認証部４３は、格納情報５２に登録されているユーザーＩＤの一覧を操作部３７に表示し、ユーザーによる指定をユーザーＩＤの受け付ける（ステップＳ２０１）。
【００５５】
次に、ユーザー認証部４３は、操作部３７によってパスワードの入力を受け付ける（ステップＳ２０２）。
【００５６】
次に、ユーザー認証部４３は、指定されたユーザーＩＤと、入力を受け付けたパスワードとの組み合わせが、認証情報５１に登録されているか否かを判断するユーザー認証を実行し（ステップＳ２０３）、認証が成功したか失敗したかを判断する（ステップＳ２０４）。
【００５７】
ステップＳ２０４で認証が失敗した場合、ユーザー認証部４３は、取り出し制御動作を終了する。
【００５８】
ステップＳ２０４で認証が成功した場合、開錠制御部４４は、格納情報５２を参照して、ユーザーＩＤが登録されたトレイがユーザー用格納トレイ３３か否かを判断する（ステップＳ２０５）。
【００５９】
ステップＳ２０５でユーザー用格納トレイ３３である場合、開錠制御部４４は、格納情報５２においてユーザーＩＤが登録されたユーザー用格納トレイ３３の施錠機構３９を制御して開閉ドア３８を開錠する（ステップＳ２０６）。この際、開錠によって自動的に開閉ドア３８が開くように構成したり、操作部３７に開錠したユーザー用格納トレイ３３を表示してユーザーに報知したりすると良い。
【００６０】
次に、開錠制御部４４は、格納情報５２において、開錠したユーザー用格納トレイ３３を格納無しに切り換えると共に、ユーザーＩＤを消去し（ステップＳ２０７）、動作を終了する。
【００６１】
ステップＳ２０５でユーザー用格納トレイ３３でなく管理者用格納トレイ３４である場合、開錠制御部４４は、予め記憶している管理者の連絡先を操作部３７に表示してユーザーに報知し、（ステップＳ２０８）、動作を終了する。
【００６２】
なお、開錠制御部４４は、管理者ＩＤ及びパスワードによって管理者として認証された場合に、管理者用格納トレイ３４の施錠機構３９を制御して開閉ドア３８を開錠する。これにより、管理者用格納トレイ３４に格納した印刷物の取り出しは、管理者に限定され、ユーザー用格納トレイ３３に空きがなくてもセキュリティーを確保することができる。
【００６３】
以上説明したように、本実施の形態によれば、印刷物を出力する画像形成装置１０と、画像形成装置１０から出力された印刷物を仕分けする後処理装置３０とからなる画像形成システムであって、画像形成装置１０は、ユーザーを特定するユーザー情報が含まれた機密表記Ｘを生成する機密表記生成部２１と、機密表記Ｘを印刷物に付加する機密表記付加制御部２２とを備え、後処理装置３０は、印刷物に付加された機密表記Ｘを読み取る機密表記読取部３１と、出力された印刷物を誰でも取り出すことができる開放トレイ３２と、開閉ドア３８を開かないと出力された印刷物を取り出せない構造のユーザー用格納トレイ３３と、開閉ドア３８を施錠する施錠機構３９と、画像形成装置１０から出力された印刷物を仕分けして開放トレイ３２及びユーザー用格納トレイ３３の中のいずれかに出力する仕分機構（トレイ昇降機構３５、搬送ローラー３６）と、仕分機構を制御して、機密表記Ｘが付加されていない印刷物は開放トレイ３２に、機密表記Ｘが付加された印刷物はユーザー用格納トレイ３３にそれぞれ出力させる仕分制御部４０とを備える。
この構成により、特定のユーザー宛ての印刷物は、施錠可能なユーザー用格納トレイ３３に出力されるため、印刷を事前に実行しても、他人による印刷物の持ち去りを確実に防止することができる。
【００６４】
さらに、本実施の形態において、後処理装置３０は、認証情報（ユーザーＩＤ、パスワード）の入力を受け付ける入力部である操作部３７と、操作部３７から入力された認証情報によってユーザー認証を実行するユーザー認証部４３と、ユーザー認証部４３によってユーザー情報で特定されるユーザーの認証に成功した場合、施錠機構３９を制御して、ユーザー用格納トレイ３３の開閉ドア３８を開錠させる開錠制御部４４とを備える。
この構成により、認証後にすぐに印刷物を取り出すことができ、作業効率を向上させることができる。
【００６５】
さらに、本実施の形態において、開閉ドア３８を開かないと出力された印刷物を取り出せない構造の管理者用格納トレイ３４を具備し、仕分機構は、画像形成装置１０から出力された印刷物を仕分けして開放トレイ３２、ユーザー用格納トレイ３３及び管理者用格納トレイ３４の中のいずれかに出力し、仕分制御部４０は、印刷物に機密表記Ｘが付加され、ユーザー用格納トレイ３３に空きがない場合、仕分機構を制御して管理者用格納トレイ３４に出力させ、開錠制御部４４は、ユーザー認証部４３によって管理者の認証に成功した場合、施錠機構３９を制御して、管理者用格納トレイ３４の開閉ドア３８を開錠させる。
この構成により、ユーザー用格納トレイ３３に空きがない場合でも、特定のユーザー宛ての印刷物は、施錠可能な管理者用格納トレイ３４に出力されるため、印刷を事前に実行しても、他人による印刷物の持ち去りを確実に防止することができる。
【００６６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００６７】
１０  画像形成装置
１１  操作部
１２  原稿読取部
１３  原稿給送部
１４  画像形成部
１５  給紙部
１６  記憶部
１７  画像処理部
１８  通信部
２０  制御部
２１  機密表記生成部
２２  機密表記付加制御部
３０  後処理装置
３１  機密表記読取部
３２  開放トレイ
３３  ユーザー用格納トレイ
３４  管理者用格納トレイ
３５  トレイ昇降機構
３６  搬送ローラー
３７  操作部
３８  開閉ドア
３９  施錠機構
４０  仕分制御部
４１  機密表記解析部
４２  トレイ選択部
４３  ユーザー認証部
４４  開錠制御部
５０  記憶部
５１  認証情報
５２  格納情報
６０  ネットワーク
７０  周辺機器
Ｘ  機密表記
【図１】
2020069649.tif 000003
【図２】
2020069649.tif 000004
【図３】
2020069649.tif 000005
【図４】
2020069649.tif 000006
【図５】
2020069649.tif 000007
【図６】
2020069649.tif 000008
【図７】
2020069649.tif 000009